(57)【要約】      （修正有）【課題】地震を予知することができるシステムを提供する。【解決手段】地震痛の感知者が日時と規模をヒントとして与え、世界の地震痛感知者らとインタ−ネットで情報の交換をすることにより、地震発生場所の特定を推定できるシステム。【選択図】なし【特許請求の範囲】
【請求項１】
ヒトの右側頭部頭蓋骨縫合部位に感じる地震痛による、数時間前から一月前までに、これから発生する大地震の短期地震予知システム。
【請求項２】
日本の国内外の地震痛を感じる人たちがインタ−ネットを活用して、地震痛の痛み具合により、大地震の発生場所を特定する請求項１の短期地震予知システム。
【発明の詳細な説明】
【技術分野】
【０００１】  本発明はヒトの右側頭部頭蓋骨縫合部位に、地震痛というマグニチュ−ド５前後以上の地震を感知する能力を持つ人たちを組織立てて、大地震を数時間前から４、５日前、若しくは地震の種類によっては１月前に予知し、大地震から人的被害や火災などの二次的被害を軽減させるシステムである。
【背景技術】
【０００２】  地震とは、地球の表層部を覆う十数枚のプレ−トがマントルの対流に乗る形で、相互に衝突又は潜り込み、相互に離反しあい、若しくは、横ずれをすることにより、プレ−トの地殻が破壊され、その時の衝撃が大地を揺らす現象である。
従来は、地震は周期的に起きるものとの考えに基づき、関東大震災は７９年ごとに繰り返されると言われたり、あるいは、１年に数センチメ−トルずつ太平洋岸は北西に押されているので、その歪みがある一定の水準に達すると日本列島の乗っているユ−ラシアプレ−ト又は北米プレ−トがエネルギ−を放出して、大地震を引き起こすのだと言われていた。【０００３】  しかし、実際には理論通りには大地震は発生せず、大正関東大震災から今年で９０年を数えており、また、５００年の空白期間がある東海地震の地震観測網からは、未だ地震警戒宣言を総理大臣に言わしめていないのが現状である。【０００４】  そのほかに、観測点の位置をＧＰＳ（世界測位システム）で測り、歪みを測定する方法も、歪みが大きい程大地震を引き起こすということしか解明されていないのが現状である。【０００５】  このほかにも、地磁気、地電流、地下水の成分変化や地下のガスの成分変化などが研究されているが短期の地震予知には十分な成果が得られているとは言い難い状態である。【０００６】  特に、２０１１年  ３月１１日の東日本大震災においては、多くの地震学者が海溝型の日本海溝ではマグニチュ−ド９．０の大地震は起こらないと自信をもって断言していたのに、実際に起きてしまい、長期、中期、短期の地震予知を含めて予測を誤ったことに茫然自失となってしまった。
【発明が解決しようとする課題】
【０００７】  地震の予知とは、いつ、どこで、どのくらいの地震が起きると言えて、はじめて予知が成功したとされる。広く動物界を見渡すと、地震を予知しているか、予知しているらしい動物が多数見受けられる。なまずや犬やネズミや森の動物も地震が発生する前に大暴れをしたり、恐怖に怯えた啼き声をしたり、集団で大移動をしたりと地震を予知しているかのような行動をとることが知られている。
【０００８】  翻って、ヒトも動物の一種である。ヒトの全てが地震を予知するとはいわないが、一万人に一人くらいの割合で地震の直前に右側頭部頭蓋骨縫合部位に地震痛を感じる事は可能ではないのか。事実、私などは、地震の前数時間から４、５日前に、規模の小さい方から順にいうと、撫でるようなコソコソ、ノックするようなコトン、ジ−ンとした痛み、ググッとした痛み、光の筋を見せて痛むという地震痛を感じるのである。この地震痛は、地殻の中に含まれている花コウ岩が圧迫されたり、破壊されたりしたときに、電磁波（ガンマ線）を放出し、その電磁波を地震痛感知者がキャッチしたときに感じる痛みのことである。
【０００９】  この地震痛にも痛みの種類があり、グッ−と圧迫された痛みの場合には、インド大陸がユーラシアプレ−トに衝突するときの痛みであり、この痛みから２週間から１ケ月後には四川省あたりが大地震にみまわれるのである。
【００１０】  ほかにも、グチャという痛みがあり、太平洋プレ−トが島嶼列島であるソロモン諸島やアリュ−シャン列島や千島列島に潜り込むときに軟弱な火山岩でできた島の地殻を破壊するときの痛みのように感じる。この場合も２週間から１ケ月後に巨大地震に近い地震が発生する。
【００１１】  そのほかにも、太くて強い痛みがあり、フィリピンのセレベス島やインドネシアのスマトラ島に潜り込むプレ−トによってもたらされる痛みのようです。この場合には、１０日ぐらい後に巨大地震が発生する。
【００１２】  そして、光線が走る痛みがあり、日本の地震予知にとっては一番大事な痛みである。この痛みは東日本大震災のときに感知した痛みである。日本海溝で、太平洋プレ−トが北米プレ−トに潜り込む時に南北５００Ｋｍ、東西２００Ｋｍの岩盤が破壊されたときに発生した電磁波が右側頭部に光線となって現れたのである。この場合には、４日後に巨大地震が発生した。
東日本大震災から１ケ月後の２０１１年  ４月１１日に起きたマグニチュ−ド８．０の宮城県沖地震でも光線が走る痛みがあったので、この型の痛みは今後の巨大地震を予知する上で重要な指標となりうる。このときも４日後に地震が発生している。
【課題を解決するための手段】
【００１３】  本発明者は、これらの課題を解決するために常時メモ帳を携帯し、地震痛があるたびに日時、地震痛のタイプ、痛みの強さから予測マグニチュ−ドを記入し、実際に地震が発生したときは、ラジオやテレビなどで日時、場所、マグニチュ−ド及び深さを記入し、このメモ帳に則り、時系列に地震痛の発生と実際の地震の発生を観音開きのノ−トに書き写し、更に地震痛のタイプ別に地震痛の発生日時などと実際の地震の発生の日時などをノ−トに整理して、地震痛による短期地震予知のウィ−クポイントである地震発生場所の特定に活用しようとしている。
【００１４】  そして、地震痛というのは、全世界の地震の電磁波をキャッチするのだが、近距離の地震の方がより強く感知する傾向にあることに気づき、インタ−ネットで全世界の地震痛を感知する人たちに協力を求めることにより、大地震の発生場所の近くの人が光線を伴う痛みを感じたとしたら、大地震の発生場所はその近くだと言えることに気が付いた。
【発明を実施するための形態】
【００１５】  地震痛を感知する人たちが、インタ−ネットで情報をやりとりし、同時期に地震痛のあったものを中心に、痛みのタイプを判断し、光線が走る痛みを感じた者がいないかどうかを確認し、もし光線が走る痛みを感じた者がいれば、その人のいる場所の近くが震源地から２００Ｋｍ以内である可能性が高くなる。
また、いつ大地震が発生するかは、痛みのタイプに応じて、ナイフで切られたような痛みの活断層の場合には８時間以内に起こり得るし、光線が走る痛みの場合には４、５日以内に起こり得るし、ググッと痛むときやグシャと痛むときは２週間から１ケ月以内に発生し得るし、太くて強い痛みの場合には１０日以内に発生し得るといえる。
更に、地震の規模については、コソコソがＭ（マグニチュ−ド）４、コトンがＭ５、ジ−ンがＭ６、ググッとグチャがＭ７以上、光線が走るがＭ８以上と言える。
【発明の効果】
本発明の短期地震予知システムは、Ｍ８クラスの巨大地震が大都市を襲ったら都市部では昼間人口が８００万人に膨らみ、その人たちの大半が帰宅困難者となり、反対に、郊外では女子供と年寄りしか家に居らず、防火や防犯の面で人手不足となり、無法地帯に変わり果てるところを、大地震が発生するかもしれないという予知の情報に基づいて行動しているので、都市部にはまばらにしか人が居らず、郊外の自宅には男手が充実しているので、消火活動やら自警団の見回り等の治安維持活動がスム−ズに行なわれ、被害を最小限にくい止めることが可能なシステムであると考える。